(57)【特許請求の範囲】
【請求項１】
複数の行電極と複数の列電極とをこれらの交差部がマトリックス状に配列されるよう配置し、該各交差部の行電極と列電極の間に実効電圧値に応答する液晶素子を挟持してなる液晶パネルを、直交行列に基づく波形の電圧を行電極及び列電極に印加して駆動する方法であって、
表示画像１フレームの全領域に対応する表示データ，あるいは該表示画像１フレームを垂直走査方向に複数に分割したブロック領域に対応する表示データを、直交行列を用いて直交変換し、
該直交変換した変換表示データを全列電極に順次印加するとともに、該表示画像１フレームの全領域あるいは該ブロック領域に対応する全行電極を同時に選択して、該直交変換に用いた直交行列の列ベクトルの要素に対応する行信号を行選択パルスとして順次印加し、該変換表示データを該液晶パネル上で逆変換するものにおいて、
該直交行列として、
その要素の総和の絶対値が最大となる列ベクトルの要素和の絶対値Ｘｍａｘと、その要素の総和の絶対値が最小となる列ベクトルの要素和の絶対値Ｘｍｉｎとの比の値Ｘｍａｘ／Ｘｍｉｎが、同時選択される行電極の本数の２／３倍未満である直交行列を、前記表示データの直交変換に用いることができる直交行列から選択して用いる液晶パネルの駆動方法。
【請求項２】
請求項１記載の液晶パネルの駆動方法において、
前記液晶パネルは、Ｎ本の行電極とＭ本の列電極とを有するものであり、
前記直交行列は、Ａ（ｉ，ｊ）を要素とするＩ行Ｊ列の直交行列Ａであり、
Ｌ（Ｌ≦Ｎ）本分の行電極を同時選択する時にｎ（ｎ≦Ｌ）番目の行電極に印加される選択行電圧波形Ｆ（ｎ，ｔ）は、１フレーム期間を該直交行列の列数Ｊで等分割した一定周期のフレーム分割期間における選択期間の電位レベルと、該フレーム分割期間における選択期間以外の非選択期間の電位レベルとが、１フレーム期間内の時刻ｔを用いて
【数１】
0003630185.tif 000020
該（１）式により与えられるものであり、
Ｌ（Ｌ≦Ｎ）本分の行電極を同時選択する時にｍ（ｍ≦Ｍ）番目の列電極に印加される列電圧波形を規定する信号Ｇ（ｍ，ｔ）は、ｎ番目の行電極とｍ番目の列電極との交差部の画素のオン表示データを−１とし、該画素のオフ表示データを＋１とする関数Ｐ（ｎ，ｍ）により、１フレーム期間内の時刻ｔを用いて
【数２】
0003630185.tif 000021
該式（２）で与えられるものである液晶パネルの駆動方法。
【請求項３】
請求項２記載の液晶パネルの駆動方法において、
前記直交行列Ａは、Ｋ次直交行列（Ｋは同時選択される行数以上の２のべき乗数）から、同時選択するＬ行を選択し、該選択したＬ行のうちの数行の行ベクトルの要素の極性を反転したものである液晶パネルの駆動方法。
【発明の詳細な説明】
【０００１】
【産業上の利用分野】
本発明は、液晶パネルの駆動方法に関し、特にマトリックス状に画素が配置され、実効値応答する液晶パネルの駆動方法に関するものである。
【０００２】
【従来の技術】
従来、実効電圧に対して応答するＴＮ（ｔｗｉｓｔｅｄ  ｎｅｍａｔｉｃ）液晶やＳＴＮ（ｓｕｐｅｒ  ｔｗｉｓｔｅｄ  ｎｅｍａｔｉｃ）液晶を用いた単純マトリックス液晶パネルでは、走査線としての行電極が１本ずつ順次選択されるよう行電極に選択行電圧を印加していき、この行電極の選択と同期して、データ線としての列電極には、選択された行電極上の画素の表示データに対応する列電極電圧を印加する駆動方法、いわゆる線順次駆動方式が採用されている。
【０００３】
この線順次駆動方法では、全画面をＯＮ表示させるときには、行電極と列電極の交差部に位置する各画素の液晶に、図１７（ａ）に示すような波形の駆動電圧が印加され、また、全画面をＯＦＦ表示させるときには、該各画素の液晶に図１７（ｂ）に示すような波形の駆動電圧が印加される。ここで、図１７（ｃ）は上記波形の駆動電圧を発生させるための同期パルスである。
【０００４】
つまり、各画素の液晶には、ＯＮ表示の場合、選択電圧波形として１フレーム期間内において、１走査期間のみに走査電圧パルスＶｏｐまたは−Ｖｏｐが印加され、それ以外の期間にはバイアス電圧Ｖｏｐ／ａおよび−Ｖｏｐ／ａが印加される。ここで、ａはバイアス比であり、通常ａ＝√Ｎ＋１（Ｎ：走査線数）に設定される。一方、ＯＦＦ表示の場合、非選択電圧波形として１フレーム期間内において、１走査期間のみに走査電圧パルス（１−２／ａ）Ｖｏｐまたは−（１−２／ａ）Ｖｏｐが印加され、それ以外の期間にはバイアス電圧Ｖｏｐ／ａおよび−Ｖｏｐ／ａが印加される。
【０００５】
ところが、この方式では走査線数Ｎが増大すると、各画素に印加される電圧波形において、走査電圧パルスとバイアス電圧の高低差がますます大きくなるため、高速応答性を有する液晶パネルを駆動した場合、その透過率が印加電圧波形それ自体に応答して変化する現象、いわゆるフレーム応答現象が生じ、コントラストを著しく低下させる原因となっていた。
【０００６】
そこで、近年このような液晶表示素子の高速応答性とコントラストとのトレードオフを解消するための駆動方法が次の３つの文献にて提案されている。
【０００７】
第１の文献は、Ｔ．Ｊ．Ｓｃｈｅｆｆｅｒ，Ｂ．Ｃｌｉｆｔｏｎ：”Ａｃｔｉｖｅ  Ａｄｄｒｅｓｓｉｎｇ  Ｍｅｔｈｏｄ  ｆｏｒ  Ｈｉｇｈ−Ｃｏｎｔｒａｓｔ  Ｖｉｄｅｏ−Ｒａｔｅ  ＳＴＮ  Ｄｉｓｐｌａｙｓ”，ＳＩＤ  ９２  ＤＩＧＥＳＴ，  ｐ２２８であり、
第２の文献は、Ｔ．Ｎ．Ｒｕｃｋｍｏｎｇａｔｈａｎ，Ｔ．Ｋｕｗａｔａ，Ｔ．Ｏｈｎｉｓｈｉ，Ｓ．Ｉｈａｒａ，Ｈ．Ｋｏｈ，Ｙ．Ｎａｋａｇａｗａ：”Ａ  Ｎｅｗ  Ａｄｄｒｅｓｓｉｎｇ  Ｔｅｃｈｎｉｑｕｅ  ｆｏｒ  Ｆａｓｔ  Ｒｅｓｐｏｎｄｉｎｇ  ＳＴＮ  ＬＣＤｓ”，ＪＡＰＡＮ  ＤＩＳＰＬＡＹ’９２，ｐ６５であり、
第３の文献は、Ｓ．Ｉｈａｒａ，Ｙ．Ｓｕｇｉｙａｍａ，Ｙ．Ｎａｋａｇａｗａ：Ａ  Ｃｏｌｏｒ  ＳＴＮ−ＬＣＤ  ｗｉｔｈ  Ｉｍｐｒｏｖｅｄ  Ｃｏｎｔｒａｓｔ，Ｕｎｉｆｏｒｍｉｔｙ，ａｎｄ  Ｒｅｓｐｏｎｓｅ  Ｔｉｍｅｓ”，ＳＩＤ  ９２  ＤＩＧＥＳＴ，ｐ２３２である。
【０００８】
上記各文献に記載の駆動方法は、いずれも複数本あるいは全数の走査線を同時選択駆動する、つまり対応する複数の走査線に同時に選択電圧波形の駆動信号を印加するものであり、該選択電圧波形では、走査電圧パルスは、ピーク値を持つ複数の行選択パルスとして１フレーム期間内に分散しており、これによりフレーム応答現象を抑制しようとするものである。ここで、行選択パルスは、１フレーム期間をいくつかの期間に等分割した一定周期Ｔのフレーム分割期間毎に現れる。厳密に言うと、この行選択パルスが現れるのは、フレーム分割期間内の一部（選択期間）であり、それ以外のフレーム分割期間内の期間（非選択期間）には、選択行電圧波形の電圧は０レベルとなる。
【０００９】
この駆動方法による画像表示の基本原理は、アダマール行列やウォルシュ行列に代表される直交行列を用いて、画像データの直交変換を行い、該直交変換された画像データを液晶パネル上で逆変換するというものである。
【００１０】
一般的には、上記液晶パネルが、Ｎ本の走査信号線（行電極）とＭ本のデータ信号線（列電極）を有し、Ｎ行×Ｍ列の画素からなるものであり、同時選択される走査信号線の本数がＬ本である場合、ｎ番目の行電極に印加される選択電圧波形は、下記（３）式により与えられる。
【００１１】
【数３】
0003630185.tif 000002
【００１２】
ここで、Ａ（ｉ，ｊ）は、ｉ行×ｊ列の直行行列Ａの各要素の値、ｔは１フレーム期間内における時間である。
【００１３】
具体的には、
【００１４】
【表１】
0003630185.tif 000003
【００１５】
上記表１に示す１６次ウォルシュ行列Ａ（ｉ，ｊ）を用いた駆動方法では、１フレーム期間を一定の時間間隔（周期Ｔ）で１６等分した各フレーム分割期間ｔ１〜ｔ１６を、該１６次ウォルシュ行列の個々の列ベクトルＴ１〜Ｔ１６に対応させている（図２２（ｂ）参照）。つまり、各列ベクトルＴ１〜Ｔ１６の要素Ａ（ｉ，１）〜Ａ（ｉ，１６）〔ｉ＝０，１，・・・１６〕の値（＋１あるいは−１）は、第１行〜第１６行までの各行ベクトルＷ０〜Ｗ１５に対応する行電極の、上記フレーム分割期間ｔ１〜ｔ１６の選択期間の印加電圧（行選択パルス）の極性に対応している。
【００１６】
なお、表１の直交行列（１６次ウォルシュ行列）については、その各行ベクトルＷ０〜Ｗ１５の要素Ａ（０，ｊ）〜Ａ（１６，ｊ）〔ｉ＝０，１，・・・１６〕を選択行電圧（行選択パルス）に対応させた場合、第１行に対応する選択行電圧が１フレーム期間中は＋Ｖまたは−Ｖの一方のみとなることから、直流電圧の印加による液晶分子の劣化を防ぐために、数フレーム期間毎に第１行の要素（＋１、−１）の極性を反転させて、駆動電圧の交流化を行わなければならない。これに対し、以下に示す表２ないし表４の行列のように、行ベクトルの要素を選択行電極に対応させる直交行列を、１６次ウォルシュ行列の第１行を除外したものとすれば上記駆動電圧の交流化を行う必要はない。
【００１７】
【表２】
0003630185.tif 000004
【００１８】
【表３】
0003630185.tif 000005
【００１９】
【表４】
0003630185.tif 000006
【００２０】
また、上述した駆動方法における選択電圧波形は、図１８に示すように、１フレーム期間を例えば１６等分した一定周期Ｔのフレーム分割期間毎に、電圧（＋Ｖ）及び電圧（−Ｖ）のいずれかの電圧レベルの行選択パルスが現れるものである。
【００２１】
また、各行電極に１フレーム期間に印加される１６個の行選択パルスには、上記表２に示すように、＋１、−１を要素とするＫ次直交行列（Ｋは同時選択される行数（１５）以上の２のべき乗数）の行ベクトルＷ１〜Ｗ１５の各要素が対応している。
【００２２】
そして、上記表３及び表４の行列は、表２のウォルシュ行列における任意の数行の行ベクトルの極性を反転させたものである。なお、直交行列は、その数行の行ベクトルの極性を反転させても直交性は失われず、直交変換が可能であるので、表２ないし表４の行列はいずれも直交性を有している。
【００２３】
図１９は、上記複数本の走査線を同時選択駆動する液晶表示装置の構成を示すブロック図である。ここでは、同時選択される走査線の本数を１５本とし、行選択パルスが、１フレーム期間を１６等分したフレーム分割期間毎に印加されるものとして説明する。また、図２０（ａ）は本装置を構成するゲートアレイ及び加算器の構成を示す図、図２０（ｂ）は該加算器の詳細な回路構成を示す図、図２１は、Ｎ行×Ｍ列の表示画面において、同時選択駆動方法により１５行分の行電極が同時選択される様子を示す図、図２２（ａ）は上記液晶表示装置を構成するフレームメモリに格納される１フレーム分の表示データを示す図、図２２（ｂ）は１５行分の行電極を同時選択して液晶パネルを駆動する場合に用いる１５行１６列の直交行列Ａを示す図である。
【００２４】
図において、１０はＮ行Ｍ列の画素からなる液晶パネル７を有し、直交行列を用いて該液晶パネル７の駆動を行う液晶表示装置で、直交行列を用いて選択行電圧に応じた行信号を発生する信号発生器１と、マトリクス状に配列された画素（Ｎ行×Ｍ列）に対応した１フレーム分の表示データＰａ（図２２（ａ）参照）を格納するフレームメモリ２と、１５本の行電極に同時に印加される行信号Ｆ（ｎ，ｔ）を要素とする行列（図２３（ａ）参照）の列信号ベクトルと、表示データＰ（ｎ，ｍ）を要素とする１５行１６列の行列Ｐ（図２３（ｂ）参照）の列表示ベクトルとの対応する要素同士の排他的論理和をとるゲートアレイ３と、該ゲートアレイ３から各画素の組毎に出力される排他的論理和を加算してその総和（図２３（ｃ）参照）を、１５行×Ｍ列の画素毎に求める加算器４とを有している。
この排他的論理和の総和は、下記（４）式により与えられる。
【００２５】
【数４】
0003630185.tif 000007
【００２６】
また、上記液晶表示装置１０には、上記加算器４の出力を受け、液晶パネル７の列電極（データ信号線）を駆動する複数のカラムドライバ５ａ、５ｂ、５ｃが設けられ、上記信号発生器１からの出力を受け、該液晶パネル７の行電極（走査信号線）を駆動するロードライバ６ａ、６ｂが設けられている。
【００２７】
ここで、上記ゲートアレイ３は、並列に設けられた１５個のＥＸ−ＯＲゲート３０１〜３１５から構成されており、それぞれのＥＸ−ＯＲゲートの一方の入力は、表２ないし表４に示す直交行列の各列ベクトルＷ１〜Ｗ１５に対応し、各ＥＸ−ＯＲゲートの他方の入力は、表示ベクトルＤ１〜Ｄ１５に対応している。この表示ベクトルＤ１〜Ｄ１５は、Ｎ行Ｍ列の画素配列の１フレーム画面を垂直方向に分割した１５行Ｍ列の画素配列のブロックに対応する表示データ行列の列ベクトルである（図２３（ｂ）参照）。
【００２８】
また上記加算器４は、上記ＥＸ−ＯＲゲート３０１〜３０３の出力を加算する全加算器４０１と、上記ＥＸ−ＯＲゲート３０４〜３０６の出力を加算する全加算器４０２と、上記ＥＸ−ＯＲゲート３０７〜３０９の出力を加算する全加算器４０３と、上記ＥＸ−ＯＲゲート３１０〜３１２の出力を加算する全加算器４０４と、上記ＥＸ−ＯＲゲート３１３〜３１５の出力を加算する全加算器４０５とを有している。また、全加算器４０３〜４０５の和出力は全加算器４０７に出力され、全加算器４０３〜４０５の桁上げ出力は全加算器４０９に出力され、全加算器４０１，４０２，４０７の和出力は全加算器４０６に出力され、全加算器４０１，４０２，４０７の桁上げ出力は全加算器４０８に出力されるようになっている。また、全加算器４０６の桁上げ出力、並びに全加算器４０８及び４０９の和出力は、全加算器４１０に出力され、全加算器４１０，４０８及び４０９の桁上げ出力は全加算器４１１に出力され、加算器４からは、上記全加算器４０６，４１０，４１１の和出力がデータ対応値Ｐ０，Ｐ１，Ｐ２として、全加算器４１１の桁上げ出力がデータ対応値Ｐ３として出力されるようになっている。
【００２９】
また全加算器４０１は、図２（ｂ）に示すように、それぞれ２つの入力信号Ａ，Ｂを受けるＥＸ−ＯＲゲート４００１及びＮＡＮＤゲート４００３と、それぞれ桁上げ入力ＩとＥＸ−ＯＲゲート４００１の出力を受けるＥＸ−ＯＲゲート４００２及びＮＡＮＤゲート４００４と、ＮＡＮＤゲート４００３及び４００４の出力を受けるＮＡＮＤゲート４００５とから構成されている。上記ＥＸ−ＯＲゲート４００２からは和出力が出力され、ＮＡＮＤゲート４００５からは桁上げ出力が出力される。また、他の加算器４０２〜４１１についても加算器４０１と同様の構成となっている。
【００３０】
このような構成の液晶表示装置においては、信号発生器１では、表４ないし表６に示すような直交行列を用いて選択行電圧に応じた行信号を発生する。その行信号Ｆ（ｎ，ｔ）を要素とする行列Ｆ（図２３（ａ）参照）の各列信号ベクトルと、フレームメモリ２からの表示データＰ（ｎ，ｍ）を要素とする行列（図２３（ｂ）参照）の各列表示ベクトルとの対応する要素同士，つまりｎの値が等しいもの同士の排他的論理和〔Ｆ（ｎ，ｔ）・Ｐ（ｎ，ｍ）〕がゲートアレイ３にて求められる。
【００３１】
具体的には、ゲートアレイ３を構成するＥＸ−ＯＲゲート３０１〜３１５の一方の入力端子には、それぞれ表２ないし表４に示すような直交行列の列ベクトルＴ１〜Ｔ１６の各要素Ａ（ｉ，ｊ）が各列ベクトル毎に入力され、他端の入力端子にそれぞれ表示データ行列Ｐの列表示ベクトルの各要素Ｄ１〜Ｄ１５が入力される。これらの要素Ｄ１〜Ｄ１５は、表５に示すように、液晶パネル７の各行の表示データに対応している。
【００３２】
【表５】
0003630185.tif 000008
【００３３】
そして、加算器４では、Ｆ（ｎ，ｔ）・Ｐ（ｎ，ｍ）を、ｎを１から１５まで変えて加算した総和が求められる。また、この排他的論理和の総和は、該列信号ベクトルと列表示ベクトルの全ての組み合わせに対して求められ、ｎ番目の列信号ベクトルとｍ番目の列表示ベクトルとの組についての総和は、ｎ列ｍ行目の画素に印加される変換表示データの行列Ｇ（図２３（ｃ）参照）の各要素Ｇ（ｍ，ｔ）に対応している。
【００３４】
そして、加算器４からは、表６に示すように、該変換表示データとしての、列電極への印加電圧の各レベルＶ０〜Ｖ１５に対応する４ビットのデータ対応値Ｐ０〜Ｐ３が出力される。
【００３５】
【表６】
0003630185.tif 000009
【００３６】
ここで、表示データの要素Ｐ（ｎ，ｍ）は、ｎ行ｍ列目の表示データがＯＮである場合は−１であり、ｎ行ｍ列目の表示データがＯＦＦである場合は＋１である。
【００３７】
上記データ対応値Ｐ０〜Ｐ３が出力されると、上記カラムドライバ５ａ、５ｂ、５ｃからは、データ対応値Ｐ０〜Ｐ３に基づいて列電極電圧が出力される。また、上記ロードライバ６ａ、６ｂからは、行信号Ｆ（ｎ，ｔ）に基づき列電極電圧の出力に同期して選択行電圧が出力される。
【００３８】
上記ゲートアレイ３および加算器４による論理演算においては、選択行電圧＋Ｖ、−Ｖをそれぞれ論理１、論理０とし、一方、表示データについては、ＯＮデータを論理１、ＯＦＦデータを論理０に対応するものとしている。
【００３９】
図２１に示す液晶パネル７において、１５行が同時に選択されたときの駆動電圧波形、すなわち１フレーム期間の選択行電圧波形と列電極電圧波形の差は、図３ないし図８に示すようになる。図３，図５，図７には、全画面ＯＮ時の波形を示し、図４，図６，図８には、全画面ＯＦＦ時の波形を示している。
【００４０】
図３および図４は、表２の直交行列Ｐａｔ．ａでもって、上記変換を行って駆動したときの駆動電圧波形の例である。この駆動電圧波形は、図１８に示す選択行電圧波形と、図２（ａ）および図２（ｂ）に示す列電極電圧波形とが合成されたものである。図２（ａ）および図２（ｂ）に示す列電極電圧波形は、表６のように１６段階に設定される電圧レベルＶ０〜Ｖ１５から電圧レベルが選択される。
【００４１】
具体的な列電極電圧波形は、全画面ＯＮの場合、図２（ａ）に示すように、１フレーム期間の最初で最低レベルＶ０となった後は中間レベルよりやや大きいレベルＶ８となり、全画面ＯＦＦの場合、図２（ｂ）に示すように、１フレーム期間の最初で最高レベルＶ１５となった後は中間レベルよりやや小さいレベルＶ７となる。
【００４２】
なお、図５，図６及び図７，図８に示す駆動電圧波形は、それぞれ表３及び表４の直交行列でもって上記の変換を行って駆動したときの駆動電圧波形の例である。
【００４３】
【発明が解決しようとする課題】
ところが、図３に示す駆動電圧波形では、１フレーム期間の最初のフレーム分割期間ｔ１に１つのピーク電圧値Ｖｐが存在することになり、上述の線順次駆動方式に近い波形になる。このため、液晶分子がこの電圧Ｖｐに応答してしまい、その結果、フレーム応答現象が生じて、コントラストが低下するという問題が生じる。
【００４４】
一方、図５に示す駆動電圧波形では、駆動電圧のピークが上記駆動電圧波形のように、１フレーム期間のある期間、すなわち、直交行列の列要素の切り替わりに要する期間（フレーム分割期間ｔ１）に偏在する度合が小さくなり、フレーム応答現象が緩和され、コントラストの低下をある程度抑制することが可能となる。
【００４５】
しかしながら、この場合、同時選択された選択行Ｌ１〜Ｌ１５の駆動電圧波形において、フレーム分割期間ｔ１に特異な選択電圧値をもつ選択行Ｌ１５が存在する。その特異な選択電圧は、図５に示すように、全画面をＯＮ表示させるとき、選択行Ｌ１５においては、フレーム分割期間ｔ１に他の選択行Ｌ１〜Ｌ１４を含めて一番低い電圧Ｖｆとして現れ、液晶分子をＯＦＦさせるように作用して輝度を低下させてしまう。他方、選択行Ｌ１〜Ｌ１４では、上記フレーム分割期間ｔ１に電圧Ｖｆと必ず逆向きの選択電圧が存在する。これらの選択電圧は、反対に液晶分子をＯＮさせるように作用するので、電圧Ｖｆの存在する選択行Ｌ１５より高い輝度が均一に得られる。
【００４６】
このため、全画面をＯＮ表示させるときには、高輝度の選択行にややＯＦＦ表示ぎみの選択行が混在することとなり、これが選択行数毎にコントラスト縞として表示されてしまう。
【００４７】
逆に、図６に示すように、全画面をＯＦＦ表示させるとき、選択行Ｌ１５に他の選択行を含め、一番高い電圧Ｖｎが特異な電圧として現れる。この電圧Ｖｎは、液晶分子をＯＮさせるように作用するので、ＯＦＦレベルがややＯＮぎみのコントラストとして表示される。他方、残りの選択行Ｌ１〜Ｌ１４の全ては、フレーム分割期間ｔ１に必ず電圧Ｖｎと逆向きの選択電圧が存在する。これらの選択電圧は、液晶分子をＯＦＦさせるように作用するので、本来のＯＦＦレベルとして均一に表示される。
【００４８】
このため、全画面をＯＦＦ表示させるときには、ＯＦＦレベルの選択行にややＯＮ表示ぎみの選択行が混在することになり、これが選択行数毎にコントラスト縞として表示されてしまう。
【００４９】
上記のように、１５行を同時選択駆動する場合、特異な電圧ＶｆおよびＶｎは、選択行電圧を表す直交行列の１つの行の極性（＋Ｖ、−Ｖ）を他の１４行の極性と逆向きにさせたときに必ず１フレーム期間内に１つ存在し、かつ１つの行内に存在する。又、複数行の反転の仕方によっては特異な電圧が以下のように２つ以上存在する場合がある。
【００５０】
例えば、表４の直交行列を用いた場合の全画面ＯＮ表示および全画面ＯＦＦ表示の駆動電圧波形を図７および図８に示す。図７に示すように、全画面ＯＮ表示の場合、選択行Ｌ７、Ｌ８が特異な電圧レベルＶｆを持つようになり、これらにより、前記と同様のコントラスト縞が選択行数毎に２本表示されることになる。一方、図８に示すように、全画面ＯＦＦ表示の場合も、全画面ＯＮ表示の場合と同じく選択行Ｌ７、Ｌ８が特異な電圧レベルＶｎを持つようになり、これらにより、前記と同様のコントラスト縞が選択行数毎に２本表示される。
【００５１】
【表７】
0003630185.tif 000010
【００５２】
表７は、デューティ数１／２４０、応答速度１２０ｍｓの液晶パネルを駆動した際のコントラスト測定結果を示すものであり、表７中の直交行列Ｐａｔ．ａないしＰａｔ．ｃは、それぞれ表２ないし表４の直交行列でもって１５行同時選択駆動した場合の測定結果に対応する。そして、表７中のＬ１〜Ｌ１５は選択行駆動波形として、それぞれ、表２ないし表４の直交行列の行ベクトルを用いたことを示す。
【００５３】
直交行列Ｐａｔ．ａによる駆動電圧波形は図３及び図４に示すとおりであり、先述したフレーム応答現象の影響により、全体的にコントラストが低くなっており、直交行列Ｐａｔ．ｂとＰａｔ．ｃは、フレーム応答現象が抑制されつつあり、全体的にコントラストが向上しているが、直交行列Ｐａｔ．ｂのＬ１５や直交行列Ｐａｔ．ｃのＬ７、Ｌ８のように、先述した特異電圧を持つ行のコントラストは他の選択行のコントラストより低くなっていることがわかる。
【００５４】
このように、同じ１５行の同時選択駆動でも、用いる直交行列のパターンによっては、駆動波形に特異電圧が現れ、その結果コントラストが著しく低下し、また、表示ムラが生じる。このことは、アクティブ駆動と呼ばれる全行を同時駆動する方式においても同様であり、上記文献に開示されている従来の駆動方法では、上記直交行列のパターンに起因するコントラストの低下に対する対策は何等明示されておらず、従来の同時選択駆動法における大きな課題となっていた。
【００５５】
この発明は上記のような問題点を解決するためになされたもので、複数同時選択駆動方法によるフレーム応答現象の抑制効果を最大限に引き出し、高コントラストで横スジ等ムラのない均一な表示品位を実現することができる液晶パネルの駆動方法を得ることが本発明の目的である。
【００５６】
【課題を解決するための手段】
この発明に係る液晶パネルの駆動方法は、複数の行電極と複数の列電極とをこれらの交差部がマトリックス状に配列されるよう配置し、該各交差部の行電極と列電極の間に実効電圧値に応答する液晶素子を挟持してなる液晶パネルを、直交行列に基づく波形の電圧を行電極及び列電極に印加して駆動する方法であって、表示画像１フレームの全領域に対応する表示データ，あるいは該表示画像１フレームを垂直走査方向に複数に分割したブロック領域に対応する表示データを、直交行列を用いて直交変換し、該直交変換した変換表示データを全列電極に順次印加するとともに、該表示画像１フレームの全領域あるいは該ブロック領域に対応する全行電極を同時に選択して、該直交変換に用いた直交行列の列ベクトルの要素に対応する行信号を行選択パルスとして順次印加し、該変換表示データを該液晶パネル上で逆変換するものにおいて、該直交行列として、その要素の総和の絶対値が最大となる列ベクトルの要素和の絶対値Ｘｍａｘと、その要素の総和の絶対値が最小となる列ベクトルの要素和の絶対値Ｘｍｉｎとの比の値Ｘｍａｘ／Ｘｍｉｎが、同時選択される行電極の本数の２／３倍未満である直交行列を、前記表示データの直交変換に用いることができる直交行列から選択して用いる。そのことにより、上記目的が達成される。
【００５７】
この発明は、好ましくは、上記液晶パネルの駆動方法において、前記液晶パネルは、Ｎ本の行電極とＭ本の列電極とを有するものであり、前記直交行列は、Ａ（ｉ，ｊ）を要素とするＩ行Ｊ列の直交行列Ａであり、Ｌ（Ｌ≦Ｎ）本分の行電極を同時選択する時にｎ（ｎ≦Ｌ）番目の行電極に印加される選択行電圧波形Ｆ（ｎ，ｔ）は、１フレーム期間を該直交行列の列数Ｊで等分割した一定周期のフレーム分割期間における選択期間の電位レベルと、該フレーム分割期間における選択期間以外の非選択期間の電位レベルとが、１フレーム期間内の時刻ｔを用いて該（１）式により与えられるものである。Ｌ（Ｌ≦Ｎ）本分の行電極を同時選択する時にｍ（ｍ≦Ｍ）番目の列電極に印加される列電圧波形を規定する信号Ｇ（ｍ，ｔ）は、ｎ番目の行電極とｍ番目の列電極との交差部の画素のオン表示データを−１とし、該画素のオフ表示データを＋１とする関数Ｐ（ｎ，ｍ）により、１フレーム期間内の時刻ｔを用いて上記式（２）で与えられるものである。
【００５８】
この発明は、上記液晶パネルの駆動方法において、前記直交行列Ａは、Ｋ次直交行列（Ｋは同時選択される行数以上の２のべき乗数）から、同時選択するＬ行を選択し、該選択したＬ行のうちの数行の行ベクトルの要素の極性を反転したものであることが好ましい。
【００５９】
【作用】
この発明においては、複数の行電極を同時選択して液晶パネルを駆動する際、表示データを直交変換するための直交行列として、その要素の総和の絶対値が最大となる列ベクトルの要素和の絶対値Ｘｍａｘと、その要素の総和の絶対値が最小となる列ベクトルの要素和の絶対値Ｘｍｉｎとの比の値Ｘｍａｘ／Ｘｍｉｎが、同時選択される行電極の本数の２／３倍未満である直交行列を用いるようにしたから、個々の行電極に同時に印加される選択行電圧波形における行選択パルスが１フレーム期間内でより一様に分散し、しかも同時選択される行電極間でのコントラスト差が緩和されることとなり、高コントラストで横スジ等ムラのない均一な表示品位が可能となる。
【００６０】
【実施例】
図１は本発明の一実施例による液晶パネルの駆動方法を説明するための図であり、該駆動方法を用いた液晶表示装置の構成を示している。図において、１００は本実施例の液晶表示装置で、液晶パネル７の走査線を複数同時選択して駆動するよう構成されている。この液晶表示装置１００では、信号発生器１ａは、下記の表８に示すような直交行列Ｐａｔ．ｇを用いて、選択行電圧に応じた行信号を発生するよう構成されている。その他の構成は、従来の駆動方法により液晶パネルを駆動する液晶表示装置１０を同一である。
【００６１】
【表８】
0003630185.tif 000011
【００６２】
次に作用効果について説明する。
【００６３】
なお、以下の説明では、液晶パネルの駆動は、液晶パネルを垂直方向に分割し、該分割したブロック領域の全行電極（１５本）を同時選択して、表示を行うものとしている。
【００６４】
まず、本実施例の液晶表示装置の基本的な動作について説明する。
【００６５】
フレームメモリ２に書き込まれたＮ行×Ｍ列の表示データＰａ（図２２（ａ）参照）のうち、上記１つのブロック領域に対応する表示データＰ（ｎ，ｍ）〔ｎ＝１，２，・・・１５、ｍ＝１，２，・・・Ｍ〕（図２３（ｂ）参照）が列方向に読み出されてゲートアレイ３に出力される。この時、信号発生器１ａでは、表７に示す直交行列を用いて、選択行電圧に応じた行信号Ｆ（ｎ，ｔ）〔ｎ＝１，２，・・・１５、ｔ＝１，２，・・・１６〕（図２３（ａ）参照）が発生され、これが上記ゲートアレイ３に出力される。
【００６６】
すると、上記ゲートアレイ３では、行信号Ｆ（ｎ，ｔ）を要素とする行列Ｆの列信号ベクトルと、フレームメモリ２からの表示データＰ（ｎ，ｍ）を要素とする行列Ｐの列表示ベクトルとについて、該両列ベクトルの対応する要素同士，つまりｎの値が同一のもの同士の排他的論理和がゲートアレイ３にて求められる。具体的には、ゲートアレイ３における各ＥＸ−ＯＲゲート３０１〜３１５の一方の入力端子には、それぞれ表８に示すような直交行列の列ベクトルの要素Ａ（ｉ，ｊ）（図２２（ｂ）参照）が入力され、他方の入力端子に、１つのブロック領域に対応する表示データの行列Ｐの列表示ベクトルの各要素Ｄ１〜Ｄ１５が入力される。要素Ｄ１〜Ｄ１５は、表５に示すように、１フレーム画面の各ブロック領域における第１番目の行から第１５番目の行の各行の表示データに対応している。
【００６７】
さらに、それら排他的論理和の総和Ｇ（ｍ，ｔ）が加算器４にて演算される。該排他的論理和の総和Ｇ（ｍ，ｔ）は、表示データを直交変換した変換表示データであり、上記列信号ベクトルと列表示ベクトルとの全ての組み合わせに対応するものが従来装置と同様に演算される（図２３（ｃ）参照）。
【００６８】
そして、上記加算器４からの総和Ｇ（ｍ，ｔ）がカラムドライバ５ａ，５ｂ，５ｃに入力されると、各カラムドライバからは、表６に示す電圧レベルＶ０〜Ｖ１５に対応するデータ対応値Ｐ０〜Ｐ３が、上記変換表示データとして各フレーム分割期間ｔ１〜ｔ１６毎に、対応する行電極へ出力される（図２４参照）。なお、図２４では、直交変換された変換表示データ，つまり上記排他的論理和の総和が、液晶パネル上で逆変換される様子を分かりやすくするため、列電極に入力される実際の信号である電圧レベルＶ０〜Ｖ１５に代えて排他的論理和の総和Ｇ（ｍ，ｔ）を示している。
【００６９】
このとき、ロードライバ６ａ，６ｂからは、行信号に基づき列電極電圧の出力に同期して、１５行分の選択行電圧Ｆ（ｎ，ｔ）が同時に出力される。
【００７０】
なお、上記ゲートアレイ３および加算器４による論理演算において、選択行電圧＋Ｖ、−Ｖをそれぞれ論理１、論理０とし、一方、表示データについては、ＯＮデータを論理１、ＯＦＦデータを論理０に対応したものとしている。
【００７１】
以下、本発明の基本原理を本実施例の液晶パネルの駆動方法の作用効果とともに説明する。
【００７２】
本発明は、所定の条件を満たす直交行列を用いて、液晶パネルの複数の走査線あるいはすべての走査線を同時選択して液晶パネルを駆動するものであり、これにより高コントラストで横スジ等ムラのない均一な表示品位が得られるものであり、詳しく説明する。なお、表９ないし表１１は１５行１６列の直交行列の一例Ｐａｔ．ｄないしＰａｔ．ｆを示している。
【００７３】
【表９】
0003630185.tif 000012
【００７４】
【表１０】
0003630185.tif 000013
【００７５】
【表１１】
0003630185.tif 000014
【００７６】
上述した直交行列Ｐａｔ．ａは表１の１６次ウォルシュ行列から第１行目の行ベクトルＷ０の要素を除外したもののうち、行ベクトルの極性反転を行っていないもの、直交行列Ｐａｔ．ｂないしＰａｔ．ｇは数行の極性反転を行ったものである。該直交行列Ｐａｔ．ｂは第１５行、直交行列Ｐａｔ．ｃは第７行と第８行、直交行列Ｐａｔ．ｄは第７行、第８行および第１５行、直交行列Ｐａｔ．ｅは第３行、第４行および第１１行、直交行列Ｐａｔ．ｆは第２行、第９行、第１０行および第１４行、直交行列Ｐａｔ．ｇは第２行、第１０行、第１１行、第１２行および第１５行の要素の極性を反転している。
【００７７】
ここで、上記直交行列の全行列（１５行）の反転、非反転の組合せは２の１５乗、すなわち３２７６８通り存在するが、１フレーム期間内で取りうる電圧レベルの組合せは、上記直交行列Ｐａｔ．ａないし直交行列Ｐａｔ．ｇのいずれかに属する。例えば、直交行列Ｐａｔ．ａの第８行〜第１５行を極性反転した直交行列により、液晶パネルを全画面ＯＮ表示となるよう駆動した場合、各フレーム分割期間ｔ１〜ｔ１６にカラムドライバから出力される選択行電圧は、電圧レベルＶ７、Ｖ１５、Ｖ７、・・・、Ｖ７となり、直交行列Ｐａｔ．ａによる列電極電圧波形（図２（ａ））と同じものとみなすことができる。
【００７８】
また、直交行列Ｐａｔ．ａの第１行〜第１４行の極性を反転させた直交行列により、液晶パネルを全画面ＯＮ表示となるよう駆動した場合、各フレーム分割期間ｔ１〜ｔ１６にカラムドライバからは、電圧レベルＶ０、Ｖ８、Ｖ８、・・・、Ｖ８が出力されるが、これも直交行列Ｐａｔ．ａによるものとは極性が反転している点だけが異なるものであり、直交行列Ｐａｔ．ａによる列電極電圧波形（図２（ａ））と等価であるとみなすことができる。
【００７９】
また、直交行列の定理より、列ベクトルの並び順を入れ替えてもその直交性は保たれるので、１６個の列ベクトルの並び順を入れ替えてもよい。その順列は１６！≒２１兆通り存在するが、すべて上記いずれかのグループに属する。
【００８０】
以上のように液晶パネルの行電極を１５行分同時選択して液晶パネルを駆動する場合は、その表示データの直交変換に用いられる直交行列は、上記直交行列Ｐａｔ．ａないし直交行列Ｐａｔ．ｇの７つのグループのいずれかのものとなる。そして、これらの直交行列Ｐａｔ．ａ〜Ｐａｔ．ｇを用いて、全画面ＯＮ表示および全画面ＯＦＦ表示を行った時の駆動電圧波形は、それぞれ図３ないし図１６に示す通りであり、その時のコントラスト測定結果として表１２に示すものが得られた。
【００８１】
【表１２】
0003630185.tif 000015
【００８２】
この表１２から、用いる直交行列のパターンによってコントラストが著しく相違していることがわかる。
【００８３】
ここで、本発明者の検討によれば、用いる直交行列のパターンによりコントラストに相違が生じる原因としては以下のように推察される。
【００８４】
まず、表１２に示すように、一番コントラストが低い直交行列Ｐａｔ．ａにおいては、表２に示すように、直交行列のある列ベクトルＴ１の要素には、要素（＋１）が集中しており、要素（−１）が存在していない。すなわち、列ベクトルＴ１においてはその要素を加算すると、要素和は＋１５となり、列ベクトルＴ２〜Ｔ１５においてはそれぞれの要素和はいずれも−１となることがわかる。
【００８５】
次に、２番目にコントラストが低い直交行列Ｐａｔ．ｂにおいては、表３に示すように、表２の直交行列Ｐａｔ．ａの第１５行目の行ベクトルのみ極性を反転したものとなっているわけであるが、その結果、ある列ベクトルＴ１に要素（＋１）が１行から１４行のわたって集中し、要素（−１）の行は１５行目の１行分だけとなり、表１２に示すように、直交行列Ｐａｔ．ｂに基づいて同時選択される１５行目の行電極Ｌ１５のコントラストが残りの１４行の行電極より低くなることがわかる。この場合、直交行列Ｐａｔ．ｂの列ベクトルＴ１においては要素和は＋１３となり、列ベクトルＴ２、Ｔ４、Ｔ６、Ｔ８、Ｔ１０、Ｔ１２、Ｔ１４、Ｔ１６においてはその要素和はそれぞれ＋１となり、列ベクトルＴ３、Ｔ５、Ｔ７、Ｔ９、Ｔ１１、Ｔ１３、Ｔ１５においてはその要素和はそれぞれ−３となることがわかる。
【００８６】
さらに、直交行列Ｐａｔ．ａの１行〜１５行のうちいくつかの行の行ベクトルの要素の極性を反転させたものが、直交行列Ｐａｔ．ｃないし直交行列Ｐａｔ．ｇであり、これらのうち、最もコントラストが高い直交行列Ｐａｔ．ｇにおいては、表８に示すように、列ベクトルＴ１、Ｔ２、Ｔ５、Ｔ８、Ｔ１０、Ｔ１２においてはその要素和はそれぞれ＋５となり、列ベクトルＴ３、Ｔ４、Ｔ６、Ｔ７、Ｔ９、Ｔ１１、Ｔ１３、Ｔ１４、Ｔ１５、Ｔ１６においてはその要素和はそれぞれ−３となることがわかる。
【００８７】
以上のように、選択行電圧を規定する直交行列の各列ベクトルの要素（＋１）と要素（−１）を加算した値が、ある列ベクトルにおいて他の列ベクトルよりも一定数を越えて大きくなると、上述した特異電圧による影響が大きくなり、コントラストが低下すると推察される。
【００８８】
そこで、各列ベクトルでの要素和を求め、この要素和の絶対値の最大値と最小値の差が小さく、各値がほぼ同じとなるような直交行列を行選択電圧として用いることで、選択行間のコントラスト差は緩和できる。
【００８９】
具体的には、Ｋ次直交行列から、同時選択を行うＬ行を選び、その数行の行ベクトルの極性を反転する。そして、各列ベクトルにおいて、その要素和を計算し、下記式（５），（６）で定義される最小値Ｘｍｉｎと最大値Ｘｍａｘを求める。そして、その比率Ｒを下記式（７）のように定義する。
【００９０】
【数５】
0003630185.tif 000016
【００９１】
【数６】
0003630185.tif 000017
【００９２】
【数７】
0003630185.tif 000018
【００９３】
表１２中に各直交行列における比率Ｒの計算結果を示す。この値が小さいほど、各列ベクトルの要素和の絶対値の差が小さくなる。
【００９４】
本実施例では、その比率Ｒが最小値となる直交行列Ｐａｔ．ｇを用いたので、最も高コントラストで横スジ等ムラのない均一な表示品位を得ることができる。なお、上記実施例では、直交行列Ｐａｔ．ｇを用いて複数行を同時選択して液晶パネルを駆動する方法について示したが、直交行列は、直交行列Ｐａｔ．ｇにかぎるものではない。
【００９５】
すなわち、表１２に示す、各種の直交行列を用いて同時選択行数を変えて実験を行った結果から、上記比率Ｒが最小値とならなくても、下記の式（８）を満たす直交行列を用いれば、液晶パネルによる画像表示を行う上で支障がない程度に良好な表示品位を得ることが確認できた。ここでＩは同時選択される行電極の本数，つまり同時選択駆動に用いる直交行列の行数である。
【００９６】
【数８】
0003630185.tif 000019
【００９７】
つまり、直交行列Ｐａｔ．ｄ〜直交行列Ｐａｔ．ｆを用いて液晶パネルを駆動した場合、各行電極でのコントラストの平均値，つまりオン表示の際の輝度とオフ表示の際の輝度との比率の平均値が３０倍以上となり、コントラストがこの程度であれば、液晶表示装置が通常用いられる状態では、表示品位は高コントラストで横スジなどのムラが認められない程度に良好なものとなる。
【００９８】
このように本実施例では、マトリックス状に配された行電極と列電極との間に実効電圧値に応答する液晶素子が配置される液晶パネルにおいて、アダマール行列やウォルシュ行列に代表される直交行列の要素である＋１および−１に対応する選択行電圧を複数の行電極に同時に印加するとともに、この選択行電圧をベクトルで表した選択行ベクトルと、表示データをベクトルで表した表示ベクトルとの各要素の排他的論理和の総和に応じた電圧レベルを列電極に印加して複数行を同時に表示するようにしているので、線順次駆動方法におけるフレーム応答現象を回避することができる。
【００９９】
また、各行電極に印加される表示データが全てＯＮ表示または全てＯＦＦ表示であるときに、駆動電圧の電圧レベルができる限り均一となり、かつ、選択行の駆動電圧波形の周波数成分ができる限り均一となる直交行列を、無数に近い数の直交行列の中から選び、選出した直交行列を用いて上記駆動方法にて液晶パネルを駆動するので、複数同時選択駆動方法によるフレーム応答現象の抑制効果を最大限に引き出し、高コントラストで横スジ等ムラのない均一な表示品位を実現できる。
【０１００】
なお、上記実施例では同時選択本数が１５本の場合について説明したが、本発明はこれに限るものではなく、他の選択本数や全数選択の場合においても適用できる。ところで、直交行列を用いて複数行を同時選択して液晶パネルを駆動する代表的な方式には、分散型（ＳＡＴ）駆動法、非分散型（ＩＨＡＴ）駆動法、さらに、特願平６−２９１８４８号の明細書に記載されているようなブロック内分散型駆動法などの方式があるが、本発明は、ここに挙げた駆動方式に限らず、一般に直交行列を用いて複数行を同時選択して駆動する方式などに広く適用可能である。
【０１０１】
【発明の効果】
以上のようにこの発明に係る液晶パネルの駆動方法によれば、複数の行電極を同時選択して液晶パネルを駆動する際、表示データを直交変換するための直交行列として、その要素の総和の絶対値が最大となる列ベクトルの要素和の絶対値Ｘｍａｘと、その要素の総和の絶対値が最小となる列ベクトルの要素和の絶対値Ｘｍｉｎとの比の値Ｘｍａｘ／Ｘｍｉｎが、同時選択される行電極の本数の２／３倍未満である直交行列を用いるようにしたので、高コントラストで横スジ等ムラのない均一な表示品位を得ることが可能となる。
【図面の簡単な説明】
【図１】本発明の一実施例に係る液晶パネルの駆動方法を適用した液晶表示装置の要部の構成を示すブロック図である。
【図２】上記液晶パネルの列電極に印加される列電極電圧の波形を示す図であり、図２（ａ）は全画面ＯＮ表示の場合の列電極電圧の波形、図２（ｂ）は全画面ＯＦＦ表示の場合の列電極電圧の波形を示している。
【図３】直交行列Ｐａｔ．ａ（表２）を用いて液晶パネルの１５行分の行電極を同時選択して全画面ＯＮ表示させる場合に各行電極の画素の液晶に印加される駆動電圧の波形を示す図である。
【図４】直交行列Ｐａｔ．ａ（表２）を用いて液晶パネルの１５行分の行電極を同時選択して全画面ＯＦＦ表示させる場合に各行電極の画素の液晶に印加される駆動電圧の波形を示す図である。
【図５】直交行列Ｐａｔ．ｂ（表３）を用いて液晶パネルの１５行分の行電極を同時選択して全画面ＯＮ表示させる場合に各行電極の画素の液晶に印加される駆動電圧の波形を示す図である。
【図６】直交行列Ｐａｔ．ｂ（表３）を用いて液晶パネルの１５行分の行電極を同時選択して全画面ＯＦＦ表示させる場合に各行電極の画素の液晶に印加される駆動電圧の波形を示す図である。
【図７】直交行列Ｐａｔ．ｃ（表４）を用いて液晶パネルの１５行分の行電極を同時選択して全画面ＯＮ表示させる場合に各行電極の画素の液晶に印加される駆動電圧の波形を示す図である。
【図８】直交行列Ｐａｔ．ｃ（表４）を用いて液晶パネルの１５行分の行電極を同時選択して全画面ＯＦＦ表示させる場合に各行電極の画素の液晶に印加される駆動電圧の波形を示す図である。
【図９】直交行列Ｐａｔ．ｄ（表９）を用いて液晶パネルの１５行分の行電極を同時選択して全画面ＯＮ表示させる場合に各行電極の画素の液晶に印加される駆動電圧の波形を示す図である。
【図１０】直交行列Ｐａｔ．ｄ（表９）を用いて液晶パネルの１５行分の行電極を同時選択して全画面ＯＦＦ表示させる場合に各行電極の画素の液晶に印加される駆動電圧の波形を示す図である。
【図１１】直交行列Ｐａｔ．ｅ（表１０）を用いて液晶パネルの１５行分の行電極を同時選択して全画面ＯＮ表示させる場合に各行電極の画素の液晶に印加される駆動電圧の波形を示す図である。
【図１２】直交行列Ｐａｔ．ｅ（表１０）を用いて液晶パネルの１５行分の行電極を同時選択して全画面ＯＦＦ表示させる場合に各行電極の画素の液晶に印加される駆動電圧の波形を示す図である。
【図１３】直交行列Ｐａｔ．ｆ（表１１）を用いて液晶パネルの１５行分の行電極を同時選択して全画面ＯＮ表示させる場合に各行電極の画素の液晶に印加される駆動電圧の波形を示す図である。
【図１４】直交行列Ｐａｔ．ｆ（表１１）を用いて液晶パネルの１５行分の行電極を同時選択して全画面ＯＦＦ表示させる場合に各行電極の画素の液晶に印加される駆動電圧の波形を示す図である。
【図１５】直交行列Ｐａｔ．ｇ（表８）を用いて液晶パネルの１５行分の行電極を同時選択して全画面ＯＮ表示させる場合に各行電極の画素の液晶に印加される駆動電圧の波形を示す図である。
【図１６】直交行列Ｐａｔ．ｇ（表８）を用いて液晶パネルの１５行分の行電極を同時選択して全画面ＯＦＦ表示させる場合に各行電極の画素の液晶に印加される駆動電圧の波形を示す図である。
【図１７】一般的な液晶パネルを線順次駆動方法により駆動する際に各画素に印加される電圧波形を示す波形図であり、図１７（ａ）は全画面ＯＮ表示の場合の電圧波形、図１７（ｂ）は全画面ＯＦＦ表示の場合の電圧波形を示し、図１７（ｃ）は上記電圧波形を発生させるための同期パルスを示す。
【図１８】１５行分の行電極を同時選択して液晶パネルを駆動する際に、各行電極に印加される選択行電圧の波形を示す図である。
【図１９】従来の同時選択駆動方法を実現する液晶表示装置の構成を示すブロック図である。
【図２０】本発明の実施例及び従来の液晶表示装置を構成するゲートアレイ及び加算器の構成を示す図であり、図２０（ａ）は、ゲートアレイ及び加算器におけるＥＸ−ＯＲゲート及び全加算器の接続関係を示し、図２０（ｂ）は、該加算器を構成する全加算器の内部の論理構成を示している。
【図２１】Ｎ行×Ｍ列の表示画面において、本発明の駆動方法により１５行分の行電極が同時選択される様子を示す図である。
【図２２】図２２（ａ）は上記液晶表示装置を構成するフレームメモリに格納される１フレーム分の表示データを示す図、図２２（ｂ）は、１５行分の行電極を同時選択して液晶パネルを駆動する場合に用いる１５行１６列の直交行列Ａを示す図である。
【図２３】上記液晶表示装置のゲートアレイ及び加算器において、表示データが直交変換される処理を説明するための図であり、図２３（ａ）は、上記１５行１６列の直交行列Ａに基づいて得られた各行電極に印加される行信号を要素とする行列Ｆを示し、図２３（ｂ）は表示画面の１つのブロックに対応する表示データを要素とする行列Ｐを示し、図２３（ｃ）は上記１つのブロックにおける直交変換された変換表示データを要素とする行列Ｇを示す。
【図２４】上記変換表示データが液晶パネル上で逆変換される様子を示す図である。
【符号の説明】
１ａ  信号発生器
２  フレームメモリ
３  ゲートアレイ
４  加算器
５ａ，５ｂ，５ｃ  カラムドライバ
６ａ，６ｂ  ロードライバ
７  液晶パネル
３０１〜３１５，４００１，４００２  ＥＸ−ＯＲゲート
４０１〜４１１  全加算器
４００３〜４００５  ＮＡＮＤゲート
【図１】
0003630185.tif 000022
【図２】
0003630185.tif 000023
【図３】
0003630185.tif 000024
【図４】
0003630185.tif 000025
【図５】
0003630185.tif 000026
【図６】
0003630185.tif 000027
【図７】
0003630185.tif 000028
【図８】
0003630185.tif 000029
【図９】
0003630185.tif 000030
【図１０】
0003630185.tif 000031
【図１１】
0003630185.tif 000032
【図１２】
0003630185.tif 000033
【図１３】
0003630185.tif 000034
【図１４】
0003630185.tif 000035
【図１５】
0003630185.tif 000036
【図１６】
0003630185.tif 000037
【図１７】
0003630185.tif 000038
【図１８】
0003630185.tif 000039
【図１９】
0003630185.tif 000040
【図２０】
0003630185.tif 000041
【図２１】
0003630185.tif 000042
【図２２】
0003630185.tif 000043
【図２３】
0003630185.tif 000044
【図２４】
0003630185.tif 000045